【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
表示筐体内に近接して配置される複数の表示発光器具を備え、
前記複数の表示発光器具の少なくとも一つは、
光源と、
前記光源からの光が反射される領域を覆い、かつ、複数の開口を有する覆い部材と、
を有し、
前記覆い部材は、近接する他の表示発光器具側には開口を有さないことを特徴とする表示装置。
【請求項２】
請求項１に記載の表示装置において、
光が入射される光入射部及び光が出射される光出射部を有し、前記光入射部から入射された光を反射部にて反射させて前記光出射部に導く導光部材を備え、
前記覆い部材は前記導光部材を収容する収容部材であって、前記導光部材の光出射部に対向した部位に開口を有することを特徴とする表示装置。
【請求項３】
請求項２に記載の表示装置において、
前記覆い部材は、前記光入射部に対向する部位に弾性変形可能な保持片を有し、この保持片にて前記導光部材を保持する保持部材であって、
前記保持部材は、前記保持片の弾性変形を可能とする切込開口を有し、当該切込開口が近接する他の表示発光器具とは反対側に設けられていることを特徴とする表示装置。
【請求項４】
請求項３に記載の表示装置において、
前記保持部材は、前記保持片の一部に前記切込開口に面して凸状若しくは凹状の引掛部を有し、
前記導光部材は、前記光入射部の一部に前記引掛部に係わって前記保持片を弾性変形させた後に、前記引掛部に引っ掛かる凸状若しくは凹状の被引掛部を有することを特徴とする表示装置。
【請求項５】
請求項３に記載の表示装置において、
前記保持部材は、前記保持片に対向する部位に前記導光部材が位置決めされる位置決め部を有し、
前記導光部材は、前記光入射部に対向する部位に前記位置決め部に係わって位置決め可能な被位置決め部を有することを特徴とする表示装置。
【請求項６】
請求項２に記載の表示装置において、
前記導光部材は、長手方向に延びる長尺部材であって、長手方向の一端側を前記光入射部とし、長手方向に沿った一側面を前記光出射部にすると共に、長手方向の他端側を前記一端側よりも前記光出射部から離れる方向に対して幅狭に形成することで、前記光出射部に対向する長手方向に沿った他側面を前記反射部としたことを特徴とする表示装置。
【請求項７】
請求項１に記載の表示装置において、
前記表示筐体はヒンジ部品を介して姿勢変化可能に構成され、前記表示筐体内にヒンジ部品の一部を内蔵したことを特徴とする表示装置。
【請求項８】
請求項７に記載の表示装置において、
光が入射される光入射部及び光が出射される光出射部を有し、前記光入射部から入射された光を反射部にて反射させて前記光出射部に導く導光部材を備え、
前記導光部材は前記ヒンジ部品の回転中心に沿う方向に延びる長尺部材で、前記回転中心が横切る位置に配置されていることを特徴とする表示装置。
【請求項９】
請求項３に記載の表示装置において、
前記保持部材は、前記保持片に光源を取付けるための取付開口を開設し、前記取付開口を塞ぐように前記光源を取付けることを特徴とする表示装置。
【請求項１０】
請求項１に記載の表示装置において、
前記表示筐体の表面部には１／２以上の専有面積の表示画面を有し、その表示画面を除いた箇所に複数の表示発光器具の表示発光部を有することを特徴とする表示装置。
【請求項１１】
処理部を内蔵した装置筐体と、
前記装置筐体に装着させ、前記処理部の動作状態を表示する請求項１乃至１０のいずれかに記載の表示装置と、を備えていることを特徴とする処理装置。
【手続補正２】
【補正対象書類名】明細書
【補正対象項目名】０００５
【補正方法】変更
【補正の内容】
【０００５】
請求項１に係る発明は、表示筐体内に近接して配置される複数の表示発光器具を備え、前記複数の表示発光器具の少なくとも一つは、光源と、前記光源からの光が反射される領域を覆い、かつ、複数の開口を有する覆い部材と、を有し、前記覆い部材は、近接する他の表示発光器具側には開口を有さないことを特徴とする表示装置である。
請求項２に係る発明は、請求項１に係る表示装置において、光が入射される光入射部及び光が出射される光出射部を有し、前記光入射部から入射された光を反射部にて反射させて前記光出射部に導く導光部材を備え、前記覆い部材は前記導光部材を収容する収容部材であって、前記導光部材の光出射部に対向した部位に開口を有することを特徴とする表示装置である。
請求項３に係る発明は、請求項２に係る表示装置において、前記覆い部材は、前記光入射部に対向する部位に弾性変形可能な保持片を有し、この保持片にて前記導光部材を保持する保持部材であって、前記保持部材は、前記保持片の弾性変形を可能とする切込開口を有し、当該切込開口が近接する他の表示発光器具とは反対側に設けられていることを特徴とする表示装置である。
【手続補正３】
【補正対象書類名】明細書
【補正対象項目名】０００６
【補正方法】変更
【補正の内容】
【０００６】
請求項４に係る発明は、請求項３に係る表示装置において、前記保持部材は、前記保持片の一部に前記切込開口に面して凸状若しくは凹状の引掛部を有し、前記導光部材は、前記光入射部の一部に前記引掛部に係わって前記保持片を弾性変形させた後に、前記引掛部に引っ掛かる凸状若しくは凹状の被引掛部を有することを特徴とする表示装置である。
請求項５に係る発明は、請求項３に係る表示装置において、前記保持部材は、前記保持片に対向する部位に前記導光部材が位置決めされる位置決め部を有し、前記導光部材は、前記光入射部に対向する部位に前記位置決め部に係わって位置決め可能な被位置決め部を有することを特徴とする表示装置である。
請求項６に係る発明は、請求項２に係る表示装置において、前記導光部材は、長手方向に延びる長尺部材であって、長手方向の一端側を前記光入射部とし、長手方向に沿った一側面を前記光出射部にすると共に、長手方向の他端側を前記一端側よりも前記光出射部から離れる方向に対して幅狭に形成することで、前記光出射部に対向する長手方向に沿った他側面を前記反射部としたことを特徴とする表示装置である。
請求項７に係る発明は、請求項１に係る表示装置において、前記表示筐体はヒンジ部品を介して姿勢変化可能に構成され、前記表示筐体内にヒンジ部品の一部を内蔵したことを特徴とする表示装置である。
請求項８に係る発明は、請求項７に係る表示装置において、光が入射される光入射部及び光が出射される光出射部を有し、前記光入射部から入射された光を反射部にて反射させて前記光出射部に導く導光部材を備え、前記導光部材は前記ヒンジ部品の回転中心に沿う方向に延びる長尺部材で、前記回転中心が横切る位置に配置されていることを特徴とする表示装置である。
請求項９に係る発明は、請求項３に係る表示装置において、前記保持部材は、前記保持片に光源を取付けるための取付開口を開設し、前記取付開口を塞ぐように前記光源を取付けることを特徴とする表示装置である。
請求項１０に係る発明は、請求項１に係る表示装置において、前記表示筐体の表面部には１／２以上の専有面積の表示画面を有し、その表示画面を除いた箇所に複数の表示発光器具の表示発光部を有することを特徴とする表示装置である。
【手続補正４】
【補正対象書類名】明細書
【補正対象項目名】０００７
【補正方法】変更
【補正の内容】
【０００７】
請求項１１に係る発明は、処理部を内蔵した装置筐体と、前記装置筐体に装着させ、前記処理部の動作状態を表示する請求項１乃至１０のいずれかに係る表示装置と、を備えていることを特徴とする処理装置である。
【手続補正５】
【補正対象書類名】明細書
【補正対象項目名】０００８
【補正方法】変更
【補正の内容】
【０００８】
請求項１に係る発明によれば、表示筐体内に複数の表示発光器具を備えた態様で、近接する表示発光器具間の光干渉を低減することができる。
請求項２に係る発明によれば、表示筐体内に複数の表示発光器具を備えた態様で、導光部材を用いるにあたり、近接する表示発光器具間の光干渉を低減することができる。
請求項３に係る発明によれば、表示筐体内に複数の表示発光器具を備えた態様で、保持部材で導光部材を保持するにあたり、近接する表示発光器具間の光干渉を低減することができる。
請求項４に係る発明によれば、引掛部及び被引掛部を有さない態様に比べて、保持部材に対する導光部材の保持性を更に強化することができる。
請求項５に係る発明によれば、位置決め部、被位置決め部を有さない態様に比べて、保持部材内に保持される導光部材の位置精度をより良好に保つことができる。
請求項６に係る発明によれば、表示筐体に長尺な発光表示部を構築するにあたり、表示筐体内において、導光部材の占有容積を少なく抑え、表示筐体内のレイアウトの自由度を増加させることができる。
請求項７に係る発明によれば、ヒンジ部品の全てが表示筐体外に設けられる態様に比べて、表示装置の小型化を図ることができる。
請求項８に係る発明によれば、姿勢変化可能な表示装置のヒンジ部品近傍に長尺な表示発光部を構築することができる。
請求項９に係る発明によれば、保持部材の外側から光源を簡単に取り付けることができる。
請求項１０に係る発明によれば、小型の表示装置において、広い表示画面の確保と、複数の表示発光器具間の光干渉防止とを両立することができる。
請求項１１に係る発明によれば、表示筐体内に複数の表示発光器具を備えた態様で、近接する表示発光器具間の光干渉を低減することが可能な表示装置を含む処理装置を提供することができる。